(57)【要約】【課題】マンコンベアの欄干の内部点検時、内デッキを取り外す際の作業性を向上させることができるマンコンベアの内デッキ取り外し具を得る。【解決手段】欄干パネルと、スカートガード６と、欄干パネルの下辺部からスカートガードの上辺部までを覆う内デッキ７とを備えたマンコンベアの欄干装置において、欄干装置の点検時に、内デッキの下縁部７ａをスカートガードから取り外すために用いられる内デッキ取り外し具２２であって、内デッキ取り外し具は、その下端部に突出して設けられ、内デッキの下端面に引っ掛けて持ち上げられる引っ掛け用段付き部２４を備える。【選択図】図１
2009012900.tif 000002
【特許請求の範囲】
【請求項１】
欄干パネルと、スカートガードと、前記欄干パネルの下辺部から前記スカートガードの上辺部までを覆う内デッキとを備えたマンコンベアの欄干装置において、欄干装置の点検時に、前記内デッキの下縁部を前記スカートガードから取り外すために用いられる内デッキ取り外し具であって、
前記内デッキ取り外し具は、その下端部に突出して設けられ、前記内デッキの下端面に引っ掛けて持ち上げられる引っ掛け用段付き部を備えたことを特徴とするマンコンベアの内デッキ取り外し具。
【請求項２】
内デッキ取り外し具は板状であり、下部に位置する部分の板厚を、上部に位置する部分の板厚よりも薄くすることによって凹陥部を形成し、前記凹陥部の表面から突出する引っ掛け用段付き部の高さを、内デッキの板厚よりも小さく設定したことを特徴とする請求項１記載のマンコンベアの内デッキ取り外し具。
【請求項３】
引っ掛け用段付き部の上面側先端部に鋭角状の突起部を形成したことを特徴とする請求項２記載のマンコンベアの内デッキ取り外し具。
【請求項４】
板状の内デッキ取り外し具の上端部を折り曲げて握り部を形成したことを特徴とする請求項２又は請求項３記載のマンコンベアの内デッキ取り外し具。
【請求項５】
板状の内デッキ取り外し具の上端部に棒状の握り片を固定し、前記棒状の握り片の握り部分にローレット目を形成したことを特徴とする請求項２又は請求項３記載のマンコンベアの内デッキ取り外し具。
【発明の詳細な説明】
【技術分野】
【０００１】
この発明は、マンコンベア欄干装置の点検時の作業性を向上するために用いられるマンコンベアの内デッキ取り外し具に関するものである。
【背景技術】
【０００２】
従来、踏段の両側に立設する欄干パネルと、踏段の両側に位置し、この踏段と僅かな隙間を確保して配置されたスカートガードと、欄干パネルの下辺部からスカートガードの上辺部までを覆う内デッキとを備えたマンコンベアの欄干装置において、内デッキ下縁部とこの内デッキ下縁部の裏面に固設したクリップ体からなり、下方に開口する凹溝形状部を備え、この凹溝形状部をスカートガード上縁部に差し込み、欄干パネル側の内デッキ上縁部で内デッキをマンコンベア本体側に固定したマンコンベアの欄干装置が知られている（例えば、特許文献１参照）。
【０００３】
【特許文献１】特開２００７−３１１１３号公報
【発明の開示】
【発明が解決しようとする課題】
【０００４】
しかし、上記のように構成された従来のマンコンベアの欄干装置では、欄干の内部点検時は、内デッキを取り外してから行われる。その際の手順としては、先ず、内デッキ上縁部を固定している取付ネジを取り外してから、内デッキを取り外すことになるが、内デッキはマンコンベアの欄干の長手方向に複数本が連続して配置されているため、その中の内デッキ１本を取り外すには、図６に示すように、内デッキ７の下縁部７ａを手で矢印２１の方向に数回叩きながら行っている。このように手で叩く作業となるため、手の痛み、叩く音が騒音となる喧しさ、取り外しに時間がかかる等の問題点があった。
【０００５】
この発明は上記のような課題を解決するためになされたもので、マンコンベアの欄干の内部点検時、内デッキを取り外す際の作業性を向上させることができるマンコンベアの内デッキ取り外し具を提供するものである。
【課題を解決するための手段】
【０００６】
この発明に係るマンコンベアの内デッキ取り外し具においては、欄干パネルと、スカートガードと、欄干パネルの下辺部からスカートガードの上辺部までを覆う内デッキとを備えたマンコンベアの欄干装置において、欄干装置の点検時に、内デッキの下縁部をスカートガードから取り外すために用いられる内デッキ取り外し具であって、内デッキ取り外し具は、その下端部に突出して設けられ、内デッキの下端面に引っ掛けて持ち上げられる引っ掛け用段付き部を備えたものである。
【発明の効果】
【０００７】
この発明によれば、内デッキ取り外し具に段付き部を設け、段付き部を内デッキの下端部に当てて持ち上げることにより、内デッキを容易に取り外せることができ、作業性を向上させることができる。また、従来のように、叩くことが不要となり、手の痛み、音の発生もなく、内デッキの取り外し作業を改善することができる。
【発明を実施するための最良の形態】
【０００８】
実施の形態１.
図１はこの発明の実施の形態１におけるマンコンベアの内デッキ取り外し具を用いて内デッキを取り外す状態を示す断面図、図２はこの発明の実施の形態１におけるマンコンベアの内デッキ取り外し具を示す斜視図である。
【０００９】
図１において、マンコンベアの欄干装置は、踏段（図示せず）の両側に立設する欄干パネル（図示せず）と、踏段の両側に位置し、この踏段と僅かな隙間を確保して配置されたスカートガード６と、欄干パネルの下辺部からスカートガード６の上辺部までを覆う内デッキ７とを備えている。内デッキ下縁部７ａの裏面にアルミ押出材等で製作されたクリップ体１０が設けられ、接着剤又は要所で内デッキ７の裏面に溶植されたスタッドボルト１２で固設されており、このクリップ体１０と内デッキ下縁部７ａで下方に開口する凹溝形状部を形成している。また、内デッキ７がスカートガード表面より踏段側に突出しないようにするために、スカートガード６の上縁部全長に曲げ加工により形成したスカートガード上縁引退部６ｃが設けられる。内デッキ７の取り付けは、先ず、内デッキ下縁部７ａの凹溝形状部をスカートガード上縁引退部６ｃに差し込み、次に、内デッキ上縁部を取り付けネジに固定すればよく、取り外しはその逆の手順となる。
【００１０】
次に、内デッキ取り外し具２２の構造について、図２により説明する。
２２は板状の内デッキ取り外し具、２３は内デッキ取り外し具２２の下部に位置する約１／３の部分の板厚を、その上部に位置する約２／３部分の板厚よりも薄くすることによって形成された凹陥部、２４は内デッキ取り外し具２２の下端部に突出して設けられた引っ掛け用段付き部である。そして、この引っ掛け用段付き部２４の凹陥部２３の表面から突出している高さは、内デッキ７の板厚よりも小さくなるように設定されている。
【００１１】
次に、内デッキ取り外し具２２を用いて内デッキ７を取り外す方法について、図１を用いて説明する。
下端部に引っ掛け用段付き部２４が設けられた内デッキ取り外し具２２を用意し、図１に示すように、内デッキ取り外し具２２の下部の凹陥部２３を内デッキ７の下縁部７ａの外側に当てる。それと同時に、内デッキ取り外し具２２の下端部の引っ掛け用段付き部２４の上面を内デッキ７の下端面７ｃに引っ掛ける。そして、内デッキ取り外し具２２を持ち上げて、内デッキ７の下縁部７ａを取り外す。この時、引っ掛け用段付き部２４の凹陥部２３の表面から突出している高さが、内デッキ７の板厚よりも小さく設定されているため、スカートガード６のスカートガード上縁引退部６ｃの表面に傷が付く恐れがない。
【００１２】
この実施の形態１によれば、従来のように、内デッキを手で叩くことが不要となり、手の痛み、音の発生もなく、内デッキの取り外し作業が容易となる。
【００１３】
実施の形態２.
図３はこの発明の実施の形態２におけるマンコンベアの内デッキ取り外し具を示す斜視図である。なお、図中、実施の形態１と同一部分又は相当部分には同一符号を付して説明を省略する。
【００１４】
この実施の形態２においては、内デッキ取り外し具２２の下端部に突出して設けられた引っ掛け用段付き部２４の上面側先端部に鋭角状の突起部２５を形成したものである。
引っ掛け用段付き部２４の上面側先端部に鋭角状の突起部２５を形成したことにより、内デッキ７の下端面７ｃへの引っ掛りが良好となり、内デッキ取り外し具２２を持ち上げた時の外れによる失敗を少なくすることができる。もし万一、内デッキ取り外し具２２の持ち上げが失敗すると、内デッキ下縁部７ａに接触して表面に傷が付き、外観を損ねる恐れがあるので、それを防止できる効果は極めて大きいものである。
【００１５】
実施の形態３.
図４はこの発明の実施の形態３におけるマンコンベアの内デッキ取り外し具を示す斜視図である。なお、図中、実施の形態１と同一部分又は相当部分には同一符号を付して説明を省略する。
【００１６】
この実施の形態３においては、板状の内デッキ取り外し具２２の上端部を直角にして水平方向に折り曲げて平坦状の握り部２６を形成したものである。
内デッキ取り外し具２２の上端部に平坦状の握り部２６を形成したことにより、握り部２６を持って内デッキ取り外し具２２を持ち上げることができるので、握りを確実にでき、作業性を良くすることができる。
【００１７】
実施の形態４.
図５はこの発明の実施の形態４におけるマンコンベアの内デッキ取り外し具を示す斜視図である。なお、図中、実施の形態１と同一部分又は相当部分には同一符号を付して説明を省略する。
【００１８】
この実施の形態４においては、板状の内デッキ取り外し具２２の上端部に棒状の握り片２７を溶接固定したものである。さらに、棒状の握り片２７の握り部分には、ローレット目２８を付加して、握った時に手が滑らないようにしたものである。
内デッキ取り外し具２２の上端部に板状の内デッキ取り外し具２２の上端部に棒状の握り片２７を溶接固定したことにより、握り片２７を持って内デッキ取り外し具２２を持ち上げることができるので、握りを確実にでき、作業性を良くすることができる。また、棒状の握り片２７の握り部分にローレット目２８を設けているので、握った時に手が滑らず、握りやすくなる。
【図面の簡単な説明】
【００１９】
【図１】この発明の実施の形態１におけるマンコンベアの内デッキ取り外し具を用いて内デッキを取り外す状態を示す断面図である。
【図２】この発明の実施の形態１におけるマンコンベアの内デッキ取り外し具を示す斜視図である。
【図３】この発明の実施の形態２におけるマンコンベアの内デッキ取り外し具を示す斜視図である。
【図４】この発明の実施の形態３におけるマンコンベアの内デッキ取り外し具を示す斜視図である。
【図５】この発明の実施の形態４におけるマンコンベアの内デッキ取り外し具を示す斜視図である。
【図６】従来のマンコンベアの欄干装置の内デッキを取り外す状態を示す断面図である。
【符号の説明】
【００２０】
６  スカートガード
６ｃ  スカートガード上縁引退部
７  内デッキ
７ａ  内デッキ下縁部
７ｃ  内デッキ下端面
１０  クリップ体
１２  スタッドボルト
２２  内デッキ取り外し具
２３  凹陥部
２４  段付き部
２５  鋭角状の突起部
２６  握り部
２７  棒状の握り片
２８  ローレット目
【図１】
2009012900.tif 000003
【図２】
2009012900.tif 000004
【図３】
2009012900.tif 000005
【図４】
2009012900.tif 000006
【図５】
2009012900.tif 000007
【図６】
2009012900.tif 000008